【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
骨成長を促進するためのインプラントであって、
骨伝導性スカフォールドと、
骨誘導性小分子と、を含み、
前記スカフォールドが、自己移植片材料、同種移植片材料、セラミック骨代用材、並びにこれらのブレンド及び混合物からなる群から選択され、
前記骨誘導性小分子が、ブデソニド、プロピオン酸フルチカゾン、フルオロメタロン、ハルシノニド、プロピオン酸クロベタゾール、並びにこれらのブレンド及び混合物からなる群から選択されるコルチコステロイドであり、
前記骨誘導性小分子が、
スルフォブチルエーテル７−β−シクロデキストリン(sulfobutyl ether7-β-cyclodextrin)，CAS番号 182410-00-0，
ポリエトキシレーテッドキャスター油(polyethoxylated castor oil)，CAS番号 61791-12-6，
ジメチルアセトアミド，
ジメチルスルホキシド，
カプリルカプロイルマクロゴルグリセリド類(caprylcaproyl macrogol glycerides)，
N-メチルピロリドン，
ポリエチレングリコール，
プロピレングリコール，
ポリビニルピロリドン，
ポリオキシル−１５−ヒドロキシステアレート(polyoxyl-15-hydroxystearate), CAS番号 70142-34-6，
ポリエチレングリコールソルビタンモノラウレート(polyethylene glycol sorbitan monolaurate), CAS番号 9005-64-5，
ポリエチレングリコールソルビタンモノオレエート(polyethylene glycol sorbitan monooleate), CAS番号 9005-65-6，
並びにこれらの混合物及び誘導体
からなる群から選択される賦形剤と組み合わされる、
インプラント。
【請求項２】
骨形成性材料を更に含む、請求項１に記載のインプラント。
【請求項３】
前記骨形成性材料が、自己骨髄吸引物、自己脂肪吸引物、同種骨髄吸引物、同種脂肪吸引物、並びにこれらのブレンド及び混合物からなる群に由来する、請求項２に記載のインプラント。
【請求項４】
前記スカフォールドがセラミック骨代用材を含み、前記セラミック骨代用材が、アパタイト類及びリン酸三カルシウム類、並びにこれらのブレンド及び混合物からなる群から選択されるリン酸カルシウム系化合物である、請求項１〜３のいずれか一項に記載のインプラント。
【請求項５】
前記セラミック骨代用材が、平均顆粒径約０．５ｍｍ〜約４．０ｍｍ及び平均孔径約２０μｍ〜約５００μｍを有する複数の多孔質顆粒を含む、請求項４に記載のインプラント。
【請求項６】
前記スカフォールドが、高分子バインダーを更に含む、請求項１〜５のいずれか一項に記載のインプラント。
【請求項７】
前記高分子バインダーが、ポリラクチド類、ポリグリコリド類、ポリカプロラクトン類、コラーゲン、セルロース、及びコポリマー類、これらのブレンド及び混合物からなる群から選択される、請求項６に記載のインプラント。
【請求項８】
骨伝導性スカフォールドを骨誘導性小分子と組み合わせてインプラントを形成する工程を含む、骨成長を促進するインプラントの形成方法であって、
前記スカフォールドが、自己移植片材料、同種移植片材料、セラミック骨代用材、並びにこれらのブレンド及び混合物からなる群から選択され、
前記骨誘導性小分子が、ブデソニド、プロピオン酸フルチカゾン、フルオロメタロン、ハルシノニド、プロピオン酸クロベタゾール、並びにこれらのブレンド及び混合物からなる群から選択されるコルチコステロイドであり、
前記方法が、前記骨誘導性小分子を賦形剤と組み合わせる工程を更に含み、
前記骨誘導性小分子が、
スルフォブチルエーテル７−β−シクロデキストリン(sulfobutyl ether7-β-cyclodextrin)，CAS番号 182410-00-0，
ポリエトキシレーテッドキャスター油(polyethoxylated castor oil)，CAS番号 61791-12-6，
ジメチルアセトアミド，
ジメチルスルホキシド，
カプリルカプロイルマクロゴルグリセリド類(caprylcaproyl macrogol glycerides)，
N-メチルピロリドン，
ポリエチレングリコール，
プロピレングリコール，
ポリビニルピロリドン，
ポリオキシル−１５−ヒドロキシステアレート(polyoxyl-15-hydroxystearate), CAS番号 70142-34-6，
ポリエチレングリコールソルビタンモノラウレート(polyethylene glycol sorbitan monolaurate), CAS番号 9005-64-5，
ポリエチレングリコールソルビタンモノオレエート(polyethylene glycol sorbitan monooleate), CAS番号 9005-65-6，
並びにこれらの混合物及び誘導体
からなる群から選択される賦形剤と組み合わされる、
方法。
【請求項９】
骨形成性材料を、前記骨伝導性スカフォールド、前記骨誘導性小分子、又はこれらの両方と組み合わせる工程を更に含み、
前記骨形成性材料が、自己骨髄吸引物、自己脂肪吸引物、同種骨髄吸引物、同種脂肪吸引物、並びにこれらのブレンド及び混合物からなる群に由来する、請求項８に記載の方法。
【請求項１０】
骨成長を促進するインプラントを形成するためのシステムであって、
第２の容器と接続するように適合された開口部を有する第１の無菌容器内に収容されている骨伝導性スカフォールドと、
骨誘導性小分子と、
骨形成性材料が前記第２の容器から前記第１の容器に移動できるように前記第１の容器と接続するように適合された開口部を有する第２の無菌容器内に収容されている前記骨形成性材料と、を備え、
前記スカフォールドが、自己移植片材料、同種移植片材料、セラミック骨代用材、並びにこれらのブレンド及び混合物からなる群から選択され、
前記骨誘導性小分子が、ブデソニド、プロピオン酸フルチカゾン、フルオロメタロン、ハルシノニド、プロピオン酸クロベタゾール、並びにこれらのブレンド及び混合物からなる群から選択されるコルチコステロイドであり、
前記骨形成性材料が、自己骨髄吸引物、自己脂肪吸引物、同種骨髄吸引物、同種脂肪吸引物、並びにこれらのブレンド及び混合物からなる群に由来し、
前記骨誘導性小分子が、
スルフォブチルエーテル７−β−シクロデキストリン(sulfobutyl ether7-β-cyclodextrin)，CAS番号 182410-00-0，
ポリエトキシレーテッドキャスター油(polyethoxylated castor oil)，CAS番号 61791-12-6，
ジメチルアセトアミド，
ジメチルスルホキシド，
カプリルカプロイルマクロゴルグリセリド類(caprylcaproyl macrogol glycerides)，
N-メチルピロリドン，
ポリエチレングリコール，
プロピレングリコール，
ポリビニルピロリドン，
ポリオキシル−１５−ヒドロキシステアレート(polyoxyl-15-hydroxystearate), CAS番号 70142-34-6，
ポリエチレングリコールソルビタンモノラウレート(polyethylene glycol sorbitan monolaurate), CAS番号 9005-64-5，
ポリエチレングリコールソルビタンモノオレエート(polyethylene glycol sorbitan monooleate), CAS番号 9005-65-6，
並びにこれらの混合物及び誘導体
からなる群から選択される賦形剤と組み合わされる、
システム。
【請求項１１】
前記骨誘導性小分子が前記第１の容器内に含まれる、請求項１０に記載のシステム。
【請求項１２】
前記骨誘導性小分子が前記第２の容器内に含まれる、請求項１０に記載のシステム。
【請求項１３】
前記骨誘導性小分子を収容し、かつ前記骨誘導性小分子が第３の容器から前記第１の容器に移動できるように、前記第１の容器と接続するように適合された開口部を有する前記第３の容器を更に備える、請求項１０に記載のシステム。
【請求項１４】
前記スカフォールドが、高分子バインダーを更に含むセラミック骨代用材である、請求項１０〜１３のいずれか一項に記載のシステム。
【請求項１５】
前記セラミック骨代用材が、アパタイト類及びリン酸三カルシウム類、並びにこれらのブレンド及び混合物からなる群から選択されるリン酸カルシウム系化合物であり、
前記高分子バインダーが、ポリラクチド類、ポリグリコリド類、ポリカプロラクトン類、コラーゲン、セルロース、及びコポリマー類、これらのブレンド及び混合物からなる群から選択される、請求項１４に記載のシステム。